(57)【特許請求の範囲】
【請求項１】
測定対象体について測定した測定値に基づいて当該測定対象体のランク分けを行う際に用いる設定値を複数のランク毎に設定可能に構成された測定装置であって、
入力された前記各設定値を記憶可能に構成された記憶部と、
前記入力された複数の設定値に基づいて予測式を決定すると共に当該予測式を用いて所定の予測値を算出し、当該予測値を前記入力された複数の設定値のランクとは異なる新たなランクの設定値として決定する演算制御部とを備え、
前記演算制御部は、ｎ＋１個のランクの前記設定値が入力されたときに、前記ランクを示す値を独立変数とし前記設定値を従属変数とするｎ次方程式を前記予測式として決定すると共に、当該記憶部に記憶されている設定値を解とするように前記ｎ次方程式に含まれる係数を決定する測定装置。
【請求項２】
測定対象体について測定した測定値に基づいて当該測定対象体のランク分けを行う際に用いる設定値を複数のランク毎に設定可能に構成された測定装置であって、
入力された前記各設定値を記憶可能に構成された記憶部と、
操作部と、
前記入力された複数の設定値に基づいて予測式を決定すると共に当該予測式を用いて所定の予測値を算出し、前記操作部の操作によって前記予測値が修正された修正値を前記入力された複数の設定値のランクとは異なる新たなランクの設定値として決定する演算制御部とを備え、
前記演算制御部は、ｎ＋１個のランクの前記設定値が入力されたときに、前記ランクを示す値を独立変数とし前記設定値を従属変数とするｎ次方程式を前記予測式として決定すると共に、当該記憶部に記憶されている設定値を解とするように前記ｎ次方程式に含まれる係数を決定する測定装置。
【請求項３】
前記操作部は、前記予測値を修正するときに、その回転操作量に応じた操作信号を出力する回転操作型ダイヤルを備え、
前記演算制御部は、前記回転操作型ダイヤルから出力される前記操作信号に基づいて前記予測値を前記修正値に修正する請求項２記載の測定装置。
【発明の詳細な説明】
【技術分野】
【０００１】
本発明は、例えば、部品の選別等に用いられる設定値を設定可能に構成された測定装置に関するものである。
【背景技術】
【０００２】
この種の測定装置として、特開平９−８０１１４号公報に開示されたＩＣテスタの電流測定装置が知られている。このＩＣテスタの電流測定装置は、測定回路（同公報におけるＩｄｄｐ測定回路およびＩｄｄｑ測定回路）、測定値メモリ回路、基準値メモリ回路および比較器（同公報におけるロウ側比較器およびハイ側比較器）を備えている。このＩＣテスタの電流測定装置では、測定回路が、ＤＵＴに供給される電源電流（同公報におけるＩｄｄｐおよびＩｄｄｑ）の電流値を測定し、測定値メモリ回路が、測定回路に測定された電源電流の電流値を保存する。また、基準値メモリ回路は、外部から入力される比較基準値の設定値を保存する。一方、比較器は、測定値メモリ回路に記憶されている電源電流の電流値と、比較基準値に基づく比較値とを比較する。これにより、使用者は、比較結果（同公報における比較判定結果に相当）に基づいてＤＵＴの良否を判定する。ところで、このＩＣテスタの電流測定装置を初めとする一般的な測定装置は、上記の比較基準値のような設定値の入力用として、その操作量に応じた値を入力可能に構成された操作部（アップダウンキー等）、および入力中の設定値を確認できるように各設定値を表示する表示部等を備えている。この場合、使用者は、各設定値の初期値として表示部に表示された値（例えば、「０」）のうちの所望の設定値を変更可能状態とした後に、入力すべき所望の設定値と初期値との差分に応じた操作量だけ操作部を操作することにより、各設定値に所望の値を入力することが可能となっている。
【特許文献１】特開平９−８０１１４号公報（第２−４頁、第１，２図）
【発明の開示】
【発明が解決しようとする課題】
【０００３】
ところが、従来の測定装置には、以下の問題点がある。すなわち、従来の測定装置では、設定値が予測されていないため、設定値の初期値として０の数値が予め設定される。したがって、使用者は、その数値を０から所望の設定値となるように例えばアップダウンキーをその値に応じた回数だけ繰り返して操作しなければならず、この従来の測定装置には、設定値の入力操作が煩雑であるという問題点がある。
【０００４】
本発明は、かかる問題点に鑑みてなされたものであり、部品の選別等に用いられる設定値を迅速かつ容易に入力し得る測定装置を提供することを主目的とする。
【課題を解決するための手段】
【０００５】
上記目的を達成すべく請求項１記載の測定装置は、測定対象体について測定した測定値に基づいて当該測定対象体のランク分けを行う際に用いる設定値を複数のランク毎に設定可能に構成された測定装置であって、入力された前記各設定値を記憶可能に構成された記憶部と、前記入力された複数の設定値に基づいて予測式を決定すると共に当該予測式を用いて所定の予測値を算出し、当該予測値を前記入力された複数の設定値のランクとは異なる新たなランクの設定値として決定する演算制御部とを備え、前記演算制御部は、ｎ＋１個のランクの前記設定値が入力されたときに、前記ランクを示す値を独立変数とし前記設定値を従属変数とするｎ次方程式を前記予測式として決定すると共に、当該記憶部に記憶されている設定値を解とするように前記ｎ次方程式に含まれる係数を決定する。
【０００６】
また、請求項２記載の測定装置は、測定対象体について測定した測定値に基づいて当該測定対象体のランク分けを行う際に用いる設定値を複数のランク毎に設定可能に構成された測定装置であって、入力された前記各設定値を記憶可能に構成された記憶部と、操作部と、前記入力された複数の設定値に基づいて予測式を決定すると共に当該予測式を用いて所定の予測値を算出し、前記操作部の操作によって前記予測値が修正された修正値を前記入力された複数の設定値のランクとは異なる新たなランクの設定値として決定する演算制御部とを備え、前記演算制御部は、ｎ＋１個のランクの前記設定値が入力されたときに、前記ランクを示す値を独立変数とし前記設定値を従属変数とするｎ次方程式を前記予測式として決定すると共に、当該記憶部に記憶されている設定値を解とするように前記ｎ次方程式に含まれる係数を決定する。
【０００７】
また、請求項３記載の測定装置は、請求項２記載の測定装置において、前記操作部は、前記予測値を修正するときに、その回転操作量に応じた操作信号を出力する回転操作型ダイヤルを備え、前記演算制御部は、前記回転操作型ダイヤルから出力される前記操作信号に基づいて前記予測値を前記修正値に修正する。
【発明の効果】
【０００９】
請求項１記載の測定装置によれば、演算制御部が、複数の設定値に基づいて決定した予測式を用いて所定の予測値を算出すると共にその予測値を新たな設定値として決定することにより、過去に入力された設定値の値が推移する増減傾向に合致する予測式を用いて予測値を算出することができるため、予測値を所望の設定値の近傍に近づけることができる。したがって、初期値としての０から所望の設定値となるように入力操作する従来の装置と比較して、所望の設定値を迅速かつ容易に入力することができる。
【００１０】
また、請求項２記載の測定装置によれば、演算制御部が、複数の設定値に基づいて決定した予測式を用いて所定の予測値を算出すると共に操作部によって予測値が修正された修正値を新たな設定値として決定することにより、設定値として入力すべき値と算出した予測値とが一致していないときには、所望の設定値に近い値として算出される予測値を修正するだけで新たな設定値を設定することができる。また、設定値として入力すべき値と予測値とが一致しているときには、予測値の修正を不要にすることができる。このため、上記した従来の測定装置と比較して、設定値を入力する際の操作量を少なくすることができる結果、所望の設定値を迅速かつ容易に入力することができる。
【００１１】
また、請求項３記載の測定装置によれば、回転操作型ダイヤルが、その回転操作量に応じた操作信号を出力することにより、所望の設定値を入力するために所定回数だけ押圧する操作を繰り返さなければ予測値を修正することができないアップダウンキーなどと比較して、回転操作型ダイヤルを回転させるだけで予測値を修正することができるため、予測値を迅速かつ容易に修正することができる結果、所望の設定値を迅速かつ容易に入力することができる。
【００１２】
さらに、上記の測定装置によれば、演算制御部が、予測式をｎ次方程式として決定したときに、記憶部に記憶されている複数の設定値を解とするように予測式の次数および係数を決定することにより、過去に入力された設定値の値が推移する増減傾向に合致する予測式を用いて予測値を算出することができるため、所望の設定値に一層近い値を予測値として算出することができる結果、所望の設定値を一層迅速かつ容易に入力することができる。この場合、ｎ次方程式として２次方程式または３次方程式に決定することで、予測式の係数を迅速かつ容易に決定することができる。
【発明を実施するための最良の形態】
【００１３】
以下、本発明に係る測定装置の最良の形態について、添付図面を参照して説明する。
【００１４】
最初に、測定装置１の構成について、図面を参照して説明する。
【００１５】
測定装置１は、測定対象体の抵抗値を測定すると共に測定した例えば抵抗値に基づいて被測定体を選別（例えば、ランク分け）するのに用いられる装置であって、図１に示すように、測定部２、Ａ／Ｄコンバータ３、演算制御部４、操作部５、記憶部６および表示部７を備えて構成されている。この場合、測定装置１は、測定対象体としての抵抗１００の抵抗値をランク分けするための抵抗値の範囲を決定するランクＲを複数設定可能に構成されると共に測定した抵抗１００の抵抗値が複数のランクＲのいずれに属するかを判別可能に構成されている。
【００１６】
測定部２は、電圧源２ａ、演算増幅器２ｂ、および抵抗値がＲｓの抵抗２ｃを備えて構成されている。この場合、電圧源２ａは例えば電圧値Ｖｓの定電圧を抵抗２ｃを介して抵抗１００に供給する。Ａ／Ｄコンバータ３は、演算増幅器２ｂから出力された出力信号Ｓ１をアナログ−デジタル（Ａ／Ｄ）変換することでデジタル信号Ｓ２を生成して演算制御部４に出力する。
【００１７】
演算制御部４は、Ａ／Ｄコンバータ３から出力されたデジタル信号Ｓ２の示す電圧値と、抵抗２ｃの抵抗値Ｒｓと、電圧源２ａの出力電圧Ｖｓとに基づいて抵抗１００の抵抗値（Ω）を算出する。また、演算制御部４は、抵抗１００の抵抗値をランク分けするのに用いられる複数のランクＲを設定するために、図３に示すランク設定処理２０を実行する。この場合、演算制御部４は、各ランクＲにおける所定範囲の下限を規定する設定値Ｓｌ、およびその上限を規定する設定値Ｓｕの各々が操作部５を用いて入力されたときには、各設定値Ｓｌ，Ｓｕ（以下、区別しないときは「設定値Ｓ」ともいう）を示す設定値データＤｓを記憶部６に記憶させる。
【００１８】
また、このランク設定処理２０において、演算制御部４は、複数（例えば、２つ）のランクＲについての各設定値Ｓが入力されたときには、入力された各設定値Ｓに基づいて所定の予測値Ｅｌ，Ｅｕを算出するための予測式Ｆを決定する。ここで、予測値Ｅｌは、入力されたランクＲとは異なる新たなランクＲの下限の設定値Ｓｌを予測した値であり、予測値Ｅｕは、その新たなランクＲの上限の設定値Ｓｕを予測した値である。また、演算制御部４は、各ランクＲについての設定値Ｓを解とするように、予測式Ｆの次数Ｄｅおよび係数Ｃｏを決定する。この場合、演算制御部４は、設定値Ｓの入力されたランクＲの数が（ｎ＋１）個のときには予測式Ｆとしてｎ次方程式を決定する。例えば、演算制御部４は、設定値Ｓの入力されたランクＲの数が２つのときには、予測式Ｆの次数Ｄｅを「１」に決定し、設定値Ｓの入力されたランクＲの数が３つのときには、予測式Ｆの次数Ｄｅを「２」に決定する。なお、ランクＲの数が４つ以上のときには、予測式Ｆの次数Ｄｅを「２」に決定することもできる。
【００１９】
また、演算制御部４は、図６に示す予測値表示処理４０において、算出した予測値Ｅｌ，Ｅｕを設定値Ｓｌ，Ｓｕの候補として表示部７に表示させる。この場合、演算制御部４は、表示された予測値Ｅが操作部５によって所望の修正値Ｍに修正されたときには、修正値Ｍを新たなランクＲの設定値Ｓとして決定する。また、演算制御部４は、表示された予測値Ｅが修正されなかったときには、その予測値Ｅを新たなランクＲの設定値Ｓとして決定する。この際に、演算制御部４は、決定した新たな設定値Ｓを示す設定値データＤｓを記憶部６に記憶させる。
【００２０】
操作部５は、図２に示すように、本発明における回動操作型ダイヤルに相当するジョグダイヤル５ａ、および確定キー５ｂを備えて構成されている。ジョグダイヤル５ａは、ランクＲの設定数Ｎ（同図における「ランク数」）および設定値Ｓが入力されるとき、並びに予測値Ｅが修正されるときに、その回転操作量に応じた操作信号Ｓｏを演算制御部４に出力する。一方、確定キー５ｂは、ジョグダイヤル５ａを用いて入力された各値を確定するときに操作されて、その旨の操作信号Ｓｏを演算制御部４に出力する。記憶部６は、演算制御部４の制御に従い、設定値データＤｓを記憶可能に構成されている。表示部７は、演算制御部４の制御に従い、ランクＲの設定数Ｎおよび各設定値Ｓを入力可能な入力画面Ｐ（図２参照）と、測定した抵抗１００の抵抗値およびその抵抗１００の抵抗値の属するランクＲを表示可能な結果表示画面（図示せず）とを表示する。
【００２１】
次に、測定装置１の全体的な動作について図面を参照して説明する。
【００２２】
まず、演算制御部４が、図３に示すランク設定処理２０を実行する。ここで、ＡランクＲａからＤランクＲｄまでの下限の各設定値Ｓｌａ，Ｓｌｂ，Ｓｌｃ，Ｓｌｄを「０Ω、２００Ω、４００Ωおよび６００Ω」に設定すると共に、上限の設定値Ｓｕａ，Ｓｕｂ，Ｓｕｃ，Ｓｕｄを「１００Ω、４００Ω、６００Ωおよび７００Ω」に設定する例について具体的に説明する。この場合、このランク設定処理２０では、演算制御部４は、まず、入力画面Ｐ（図２参照）を表示部７に表示させる。なお、この段階の入力画面Ｐでは、同図に示すように、設定数Ｎまたは設定値Ｓが入力されていない入力箇所に各値の初期値としての「０」が表示されると共に、最初に入力可能な項目としての設定数Ｎの入力箇所にカーソル（同図における設定数Ｎの入力箇所の下側の下線）が表示されている。この際に、使用者は、ジョグダイヤル５ａを所定の回転操作量だけ操作して設定数Ｎの入力箇所に表示された値（表示値）を初期値から所望の設定値（この場合、「４」）まで増やした後に、確定キー５ｂを操作して設定数Ｎを「４」に確定する。この際に、ジョグダイヤル５ａが、その回転操作量に応じた操作信号Ｓｏを演算制御部４に出力し、確定キー５ｂが、カーソルのある入力箇所（この場合、設定数Ｎ）の値が確定された旨の操作信号Ｓｏを演算制御部４に出力する。これにより、演算制御部４は、ジョグダイヤル５ａから出力される操作信号Ｓｏに基づいて、現在カーソルのある設定数Ｎを「４」に設定する（ステップ２１）と共に、図４に示すように、表示部７を制御してカーソルを次の入力項目（この場合、Ａランクの下限の設定値Ｓｌａ）の位置に移動させる。
【００２３】
この場合、使用者は、次に入力すべき下限の設定値Ｓｌａ（０Ω）と初期値（０Ω）とが一致していると判断して、ジョグダイヤル５ａを操作することなく確定キー５ｂを操作して設定値Ｓｌａを「０Ω」に確定する。この際に、演算制御部４は、確定キー５ｂから出力される操作信号Ｓｏに応じて、表示部７を制御してカーソルを次の入力項目（この場合、Ａランクの上限の設定値Ｓｕａ）の位置に移動させる。ここで、使用者は、入力すべき上限の設定値Ｓｕａ（１００Ω）と初期値とが一致していないと判断して、ジョグダイヤル５ａを所定の回転操作量だけ操作して設定値Ｓｕａの表示値を初期値から所望の設定値（この場合、１００Ω）まで増やした後に、確定キー５ｂを操作して設定値Ｓｕａを「１００Ω」に確定する。これに応じて、演算制御部４は、表示部７を制御してカーソルを次の入力項目（この場合、Ｂランクの下限の設定値Ｓｌｂ）の位置に移動させる。この場合、演算制御部４は、ジョグダイヤル５ａから出力された操作信号Ｓｏに基づいて、各設定値Ｓｌａ，Ｓｕａを「０Ω」および「１００Ω」にそれぞれ設定する（ステップ２２）。続いて、演算制御部４は、設定値Ｓｌａ，Ｓｕａを示すＡランクＲａの設定値データＤｓａを記憶部６に記憶させる（ステップ２３）。
【００２４】
次いで、演算制御部４は、２つ以上のランクＲの設定値Ｓｌ，Ｓｕを設定したか否かを判別する（ステップ２４）。この段階では、ＡランクＲａの設定値データＤｓａしか設定していないため、演算制御部４は、次の設定値Ｓｌｂ，Ｓｕｂが入力されるまで待機し、入力されたときには、ステップ２２〜ステップ２４を再度実行する。この際に、使用者は、ジョグダイヤル５ａおよび確定キー５ｂを用いた上記の操作と同様に操作することにより、図５に示すように、ＢランクＲｂの設定値Ｓｌｂ，Ｓｕｂ（この場合、２００Ωおよび４００Ω）を入力する。この際に、ジョグダイヤル５ａおよび確定キー５ｂは、上記の動作と同様に動作して、各操作信号Ｓｏを演算制御部４に出力する。これにより、演算制御部４は、ジョグダイヤル５ａから出力される操作信号Ｓｏに基づいて、各設定値Ｓｌｂ，Ｓｕｂを「２００Ω」および「４００Ω」にそれぞれ設定する（ステップ２２）。続いて、演算制御部４は、設定値Ｓｌｂ，Ｓｕｂを示すＢランクＲｂの設定値データＤｓｂを記憶部６に記憶させる（ステップ２３）。この場合、ＡランクＲａおよびＢランクＲｂの設定値データＤｓａ，Ｄｓｂが記憶部６に記憶されているため、演算制御部４は、ステップ２４において２つ以上のランクＲの設定値Ｓｌ，Ｓｕを設定したと判別して、図６に示す予測値表示処理４０を実行する（ステップ２５）。
【００２５】
この予測値表示処理４０では、演算制御部４は、２つのランクＲの設定値Ｓが入力されているため、入力されたランクＲの設定値Ｓ（つまり、記憶部６に記憶されている設定値データＤｓの示す設定値Ｓ）を解とするように、予測式Ｆの次数Ｄｅを「１」に決定する（ステップ４１）ことにより、予測式Ｆを１次方程式（この場合、ｙ＝ａｘ＋ｂ）に決定する。なお、この方程式Ｆにおいて、従属変数（この場合、ｙ）が、設定値Ｓを示し、独立変数（この場合、ｘ）が、設定値Ｓに対応するランクの値（ＡランクＲａは「１」、ＢランクＲｂは「２」、ＣランクＲｃは「３」、およびＤランクＲｄは「４」）を示している。続いて、演算制御部４は、入力されたランクＲの設定値Ｓを解とするように各予測式Ｆｌ，Ｆｕの係数Ｃｏをそれぞれ決定する（ステップ４２）。この場合、２つのランクＲａ，Ｒｂについて下限の設定値Ｓｌａ，Ｓｌｂ（０Ωおよび２００Ω）が入力されているため、演算制御部４は、両設定値Ｓｌａ，Ｓｌｂを解とするように予測式Ｆｌ（ｙ＝ａｘ＋ｂ）の係数Ｃｏ（この場合、ａおよびｂ）を決定する。具体的には、演算制御部４は、各設定値Ｓｌａ，Ｓｌｂと対応するランクの値（「１」または「２」）とをランク毎に予測式Ｆｌの従属変数および独立変数に代入することにより、係数Ｃｏを未知数とする２つの方程式（「０＝ａ＋ｂ」および「２００＝２ａ＋ｂ」）を決定して、決定した２つの方程式で構成される連立方程式を解くことによって係数Ｃｏを決定する。この場合、係数Ｃｏが「ａ＝２００，ｂ＝−２００」となるため、演算制御部４は、決定した次数Ｄｅおよび係数Ｃｏを用いて予測式Ｆｌを「ｙ＝２００ｘ−２００」に決定する。
【００２６】
また、２つのランクＲａ，Ｒｂについて上限の設定値Ｓｕａ，Ｓｕｂ（１００Ωおよび４００Ω）が入力されているため、演算制御部４は、両設定値Ｓｕａ，Ｓｕｂを解とするように予測式Ｆｕの係数Ｃｏを決定する。この場合、演算制御部４は、上記の動作と同様に動作して、両設定値Ｓｕａ，Ｓｕｂおよび対応するランクの値に基づく２つの方程式（「１００＝ａ＋ｂ」および「４００＝２ａ＋ｂ」）で構成される連立方程式を解くことによって係数Ｃｏを決定する。この場合、係数Ｃｏが「ａ＝３００，ｂ＝−２００」となるため、演算制御部４は、決定した次数Ｄｅおよび係数Ｃｏを用いて予測式Ｆｕを「ｙ＝３００ｘ−２００」に決定する。
【００２７】
次いで、演算制御部４は、予測式Ｆｌ，Ｆｕを用いて未設定のランクＲｃの各予測値Ｅｌ，Ｅｕをそれぞれ算出する（ステップ４３）。この場合、演算制御部４は、決定した下限の予測式Ｆｌ（ｙ＝２００ｘ−２００）の独立変数に未設定のランクＲｃの値（この場合、「３」）を代入することにより、予測値Ｅｌｃとして「４００Ω」を算出する。また、演算制御部４は、決定した上限の予測式Ｆｕ（ｙ＝３００ｘ−２００）の独立変数に未設定のランクＲｃの値を代入することにより、予測値Ｅｕｃとして「７００Ω」を算出する。続いて、演算制御部４は、表示部７を制御して、図７に示すように、算出したランクＲｃの各予測値Ｅｌ（４００Ω），Ｅｕ（７００Ω）を入力画面Ｐに表示させて（ステップ４４）、予測値表示処理４０を終了する。
【００２８】
この場合、使用者は、次に入力すべきＣランクＲｃの下限の設定値Ｓｌｃと表示された予測値Ｅｌｃとが一致していると判断して、ジョグダイヤル５ａを操作することなく確定キー５ｂを操作して設定値Ｓｌｃを「４００Ω」に確定する。これに応じて、演算制御部４は、表示部７を制御してカーソルを次の入力項目（この場合、Ｃランクの上限の設定値Ｓｕｃ）の位置に移動させる。次いで、使用者は、次に入力すべき上限の設定値Ｓｕｃ（６００Ω）と、表示された予測値Ｅｕｃ（７００Ω）とが一致していないと判断して、ジョグダイヤル５ａを操作して設定値Ｓｕｃの表示値を予測値Ｅｕｃから所望の設定値（この場合、６００Ω）まで減らす修正を行った後に、予測値Ｅｌｃを修正した修正値Ｍｕｃ（図８参照）を設定値Ｓｕｃとして確定する。これに応じて、演算制御部４は、表示部７を制御してカーソルを次の入力項目（この場合、Ｄランクの下限の設定値Ｓｌｄ）の位置に移動させる。このように、下限の設定値Ｓｌｃについては予測値Ｅｌｃと設定値Ｓｌｃとが一致しているのでジョグダイヤル５ａを操作することなく設定可能であり、上限の設定値Ｓｕｃについては設定値Ｓｕｃの近傍の予測値Ｅｕｃを修正するだけで設定可能となる。このため、初期値を修正することで設定値Ｓｌｃ，Ｓｕｃを入力するのと比較して、設定値Ｓｌｃ，Ｓｕｃを設定する際のジョグダイヤル５ａの操作量が極めて少なくなる。
【００２９】
次いで、演算制御部４は、ジョグダイヤル５ａからの操作信号Ｓｏが出力されたか否かを判別する（ステップ２６）。この場合、その操作信号Ｓｏが予測値Ｅｕｃの確定前に出力されているため、演算制御部４は、ジョグダイヤル５ａから出力された操作信号Ｓｏに基づいて、その操作信号Ｓｏが出力されたときにカーソルのあったＣランクＲｃの予測値Ｅｕｃが修正された修正値Ｍｕｃ（６００Ω）を算出する（ステップ２７）。この場合、演算制御部４は、予測値Ｅｌｃ（４００Ω）を設定値Ｓｌｃとして決定すると共に修正値Ｍｕｃ（６００Ω）を設定値Ｓｕｃとして決定する（ステップ２８）。続いて、演算制御部４は、設定値Ｓｌｃ，Ｓｕｃを示すＣランクＲｃの設定値データＤｓｃを記憶部６に記憶させる（ステップ２９）。次いで、演算制御部４は、設定数Ｎ（この場合、４つ）の設定値データＤｓが記憶部６に記憶されているか否かを判別する（ステップ３０）。この場合、ＡランクＲａからＣランクＲｃまでの設定値データＤｓａ〜Ｄｓｃが記憶されているため、演算制御部４は、ステップ２５の予測値表示処理４０を再度実行する。
【００３０】
この予測値表示処理４０では、演算制御部４は、３つのランクＲの設定値Ｓが入力されているため、入力されたランクＲの設定値Ｓを解とするように予測式Ｆの次数Ｄｅを「２」に決定する（ステップ４１）ことにより、予測式Ｆを２次方程式（この場合、ｙ＝ａｘ２＋ｂｘ＋ｃ）に決定する。続いて、演算制御部４は、入力されたランクＲの設定値Ｓを解とするように各予測式Ｆｌ，Ｆｕの係数Ｃｏをそれぞれ決定する（ステップ４２）。この場合、３つのランクＲａ〜Ｒｃについて下限の設定値Ｓｌａ〜Ｓｌｃ（０Ω、２００Ωおよび４００Ω）が入力されているため、演算制御部４は、これらの設定値Ｓｌａ〜Ｓｌｃを解とするように予測式Ｆｌ（ｙ＝ａｘ２＋ｂｘ＋ｃ）の係数Ｃｏ（この場合、ａ、ｂおよびｃ）を決定する。具体的には、演算制御部４は、各設定値Ｓｌａ〜Ｓｌｃと各ランクの値（この場合、「１」、「２」または「３」）とをランク毎に予測式Ｆｌの従属変数および独立変数に代入することにより、係数Ｃｏを未知数とする３つの方程式（「０＝ａ＋ｂ＋ｃ」、「２００＝４ａ＋２ｂ＋ｃ」および「４００＝９ａ＋３ｂ＋ｃ」）を決定して、決定した３つの方程式で構成される連立方程式を解くことによって係数Ｃｏを決定する。この場合、係数Ｃｏが「ａ＝０，ｂ＝２００，ｃ＝−２００」となるため、演算制御部４は、決定した次数Ｄｅおよび係数Ｃｏを用いて予測式Ｆｌを「ｙ＝２００ｘ−２００」に決定する。
【００３１】
また、３つのランクＲａ〜Ｒｃについて上限の設定値Ｓｕａ〜Ｓｕｃが入力されているため、演算制御部４は、設定値Ｓｕａ〜Ｓｕｃ（１００Ω、４００Ωおよび６００Ω）を解とするように予測式Ｆｕ（ｙ＝ａｘ２＋ｂｘ＋ｃ）の係数Ｃｏを決定する。この場合、演算制御部４は、上記の動作と同様に動作して、これらの設定値Ｓｕａ〜Ｓｕｃおよび各ランクの値に基づく３つの方程式（「１００＝ａ＋ｂ＋ｃ」、「４００＝４ａ＋２ｂ＋ｃ」および「６００＝９ａ＋３ｂ＋ｃ」）で構成される連立方程式を解くことによって係数Ｃｏを決定する。この場合、係数Ｃｏが「ａ＝−５０，ｂ＝４５０，ｃ＝３００」となるため、演算制御部４は、決定した次数Ｄｅおよび係数Ｃｏを用いて予測式Ｆｕを「ｙ＝−５０ｘ２＋４５０ｘ＋３００」に決定する。このように、設定値Ｓを解とするように予測式Ｆの次数Ｄｅおよび係数Ｃｏを決定することにより、過去に入力された設定値Ｓの値が推移する増減傾向に合致する予測式Ｆを用いて予測値Ｅを算出することができるため、所望の設定値Ｓに一層近い値が予測値Ｅとして算出される。
【００３２】
次いで、演算制御部４は、予測式Ｆｌ，Ｆｕを用いて未設定のＤランクＲｄの各予測値Ｅｌｄ，Ｅｕｄをそれぞれ算出する（ステップ４３）。具体的には、演算制御部４は、決定した下限の予測式Ｆｌ（ｙ＝２００ｘ−２００）および上限の予測式Ｆｕ（ｙ＝−５０ｘ２＋４５０ｘ＋３００）のそれぞれの独立変数にＤランクＲｄの値（この場合、「４」）を代入することにより、各設定値Ｓｌｄ，Ｓｕｄの各予測値Ｅｌｄ，Ｅｕｄとして「６００Ω」および「７００Ω」を算出する。続いて、演算制御部４は、表示部７を制御し、図９に示すように、算出した各予測値Ｅｌｄ，Ｅｕｄを入力画面Ｐに表示させて（ステップ４４）、予測値表示処理４０を終了する。
【００３３】
この場合、使用者は、次に入力すべきＤランクＲｄの下限の設定値Ｓｌｄと表示された予測値Ｅｌｄとが一致していると判断して、ジョグダイヤル５ａを操作することなく確定キー５ｂを操作して設定値Ｓｌｄを「６００Ω」に確定する。これに応じて、演算制御部４は、表示部７を制御してカーソルを次の入力項目（この場合、Ｄランクの上限の設定値Ｓｕｄ）の位置に移動させる。次いで、使用者は、上限の設定値Ｓｕｄと表示された予測値Ｅｕｄとが一致していると判断して、ジョグダイヤル５ａを操作することなく確定キー５ｂを操作して設定値Ｓｕｄを「７００Ω」に確定する。
【００３４】
この場合、演算制御部４は、ステップ２６においてジョグダイヤル５ａからの操作信号Ｓｏが出力されていないと判別して、ステップ２７を実行することなく、各予測値Ｅｌｄ，ＥｕｄをＤランクＲｄの各設定値Ｓｌｄ，Ｓｕｄとしてそれぞれ設定する（ステップ２８）。続いて、演算制御部４は、設定値Ｓｌｄ，Ｓｕｄを示すＤランクＲｄの設定値データＤｓｄを記憶部６に記憶させる（ステップ２９）。次いで、ＡランクＲａからＤランクＲｄまでの設定値データＤｓａ〜Ｄｓｄが記憶されているため、演算制御部４は、ステップ３０において設定数Ｎの設定値データＤｓが記憶されていると判別し、入力画面Ｐの表示を終了させてランク設定処理２０を終了する。
【００３５】
次いで、使用者は、測定対象の抵抗１００を測定部２にセットする。この際に、電圧源２ａが、抵抗２ｃを介して抵抗１００に定電圧を供給し、Ａ／Ｄコンバータ３が、演算増幅器２ｂから出力された出力信号Ｓ１をＡ／Ｄ変換することでデジタル信号Ｓ２を生成して演算制御部４に出力する。この場合、演算制御部４は、上記したように、デジタル信号Ｓ２の示す電圧値と、抵抗２ｃの抵抗値Ｒｓと、電圧源２ａの出力電圧Ｖｓとに基づいて抵抗１００の抵抗値（Ω）を算出する。次いで、演算制御部４は、設定値データＤｓａ〜Ｄｓｄを記憶部６から読み込むと共に設定値データＤｓａ〜Ｄｓｄの示す４つのランクＲａ〜Ｒｄのうちのいずれに抵抗１００の抵抗値が属するかを判別して、その判別結果を表示部７に表示させる。例えば、測定した抵抗１００の抵抗値が「５００Ω」のときには、演算制御部４は、表示部７を制御して、その抵抗値を表示すると共にその抵抗値の属するランクがＣランクＲｃ（４００Ωから６００Ωまでの範囲）である旨を結果表示画面（図示せず）に表示させる。これにより、使用者は、表示されたランクに応じた抵抗１００の選別を行う。
【００３６】
このように、この測定装置１によれば、演算制御部４が、複数の設定値Ｓに基づいて決定した予測式Ｆを用いて所定の予測値Ｅを算出すると共にその予測値Ｅを新たな設定値Ｓとして決定することにより、過去に入力された設定値Ｓの値が推移する増減傾向に合致する予測式Ｆを用いて予測値Ｅを算出することができるため、予測値Ｅを所望の設定値Ｓの近傍に近づけることができる。したがって、初期値としての０から所望の設定値Ｓとなるように入力操作する従来の装置と比較して、所望の設定値Ｓを迅速かつ容易に入力することができる。
【００３７】
また、この測定装置１によれば、演算制御部４が、複数の設定値Ｓに基づいて決定した予測式Ｆを用いて所定の予測値Ｅを算出すると共に操作部５によって予測値Ｅが修正された修正値Ｍを新たな設定値Ｓとして決定することにより、設定値Ｓとして入力すべき値と予測値Ｅとが一致していないときには、所望の設定値Ｓに近い値として算出される予測値Ｅを修正するだけで新たな設定値Ｓを設定することができる。また、設定値Ｓとして入力すべき値と予測値Ｅとが一致しているときには、予測値Ｅの修正を不要にすることができる。このため、上記した従来の測定装置と比較して、設定値Ｓを入力する際の操作量を極めて少なくすることができる結果、所望の設定値Ｓを迅速かつ容易に入力することができる。
【００３８】
さらに、この測定装置１によれば、ジョグダイヤル５ａが、その回転操作量に応じた操作信号Ｓｏを出力することにより、所望の設定値Ｓを入力するために所定回数だけ押圧する操作を繰り返さなければ予測値Ｅを修正することができないアップダウンキーなどと比較して、ジョグダイヤル５ａを回転させるだけで予測値Ｅを修正することができるため、予測値Ｅを迅速かつ容易に修正することができる結果、所望の設定値Ｓを迅速かつ容易に入力することができる。
【００３９】
また、この測定装置１によれば、演算制御部４が、予測式Ｆをｎ次方程式として決定したときに、設定値データＤｓの示す設定値Ｓを解とするように予測式Ｆの次数Ｄｅおよび係数Ｃｏを決定することにより、過去に入力された設定値Ｓの値が推移する増減傾向に合致する予測式Ｆを用いて予測値Ｅを算出することができるため、所望の設定値Ｓに一層近い値を予測値Ｅとして算出することができる結果、所望の設定値Ｓを一層迅速かつ容易に入力することができる。
【００４０】
なお、本発明は、上記の構成に限定されない。例えば、複数の設定値Ｓを解とするように次数Ｄｅおよび係数Ｃｏを決定したｎ次方程式の予測式Ｆを用いて予測値Ｅを算出する例について説明したが、これに限定されない。例えば、３つ以上の設定値Ｓを設定したときに、各設定値Ｓに対する誤差の総和が最も小さくなるような１次方程式の予測式Ｆを最小２乗法を用いて決定すると共に、決定した予測式Ｆを用いて予測値Ｅを算出する構成を採用することもできる。この構成によれば、簡易な予測式Ｆで予測値Ｅを算出することができるため、予測値Ｅを迅速に算出することができる。また、複数の設定値Ｓを解とするように次数Ｄｅおよび係数Ｃｏを決定したｎ次方程式、および最小２乗法を用いて決定した１次方程式のいずれを予測式Ｆに決定するかを使用者に対して選択させる構成を採用することもできる。この構成によれば、使用者がいずれの方程式を予測式Ｆに適用するかを決定することができるため、所望の設定値Ｓに一層近い値を予測値Ｅとして算出することができる。また、ＡランクからＤランクに向けて設定値Ｓｌ，Ｓｕを順に設定する例について説明したが、設定する順序は、これに限らず、任意の順序で設定可能な構成を採用することもできる。
【００４１】
さらに、予測式Ｆを用いて予測値Ｅを算出するか否かを使用者に対して決定させる構成を採用することもできる。この構成によれば、例えば、使用者が、所望の設定値Ｓと予測値Ｅを修正することによって設定値Ｓを入力するよりも、初期値を修正することによって設定値Ｓを入力する方が操作部５の操作量が少なくなると判断したときには、初期値を修正することによって設定値Ｓを入力することにより、ジョグダイヤル５ａの操作量を少なくすることができる。また、本例ではその値が共に増える複数のランクＲを規定する上下限の設定値Ｓｌ，Ｓｕを設定する例を挙げて説明したが、本発明における設定値の種類はこれには限定されない。例えば、所定の基準値に対する正の偏差（例えば、１０％、２０％および３２％）として設定値が入力されると共に、負の偏差（例えば、−５％、−１２％および−２０％）として設定値が入力されたときには、各設定値に基づく予測式を決定して、その予測式を用いて予測値を算出することにより、正負の偏差の新たな設定値を設定することができる。同様にして、所定の基準値に対して正負が同じ複数の偏差（例えば、±１０％、±２０％および±３２％）として設定値が入力されたときにも、上記の動作と同様に動作することにより、入力された設定値とは異なる偏差の新たな設定値を算出することができる。
【図面の簡単な説明】
【００４２】
【図１】測定装置１の構成図である。
【図２】測定装置１の正面図である。
【図３】ランク設定処理２０のフローチャートである。
【図４】設定数Ｎが入力された状態の入力画面Ｐを示す表示画面図である。
【図５】設定値Ｓｕｂが入力された状態の入力画面Ｐを示す表示画面図である。
【図６】予測値表示処理４０のフローチャートである。
【図７】ランクＲｃの予測値Ｅｌｃ，Ｅｕｃが表示された状態の入力画面Ｐの一例を示す表示画面図である。
【図８】予測値Ｅｕｃを修正した修正値Ｍｕｃが表示された状態の入力画面Ｐを示す表示画面図である。
【図９】予測値Ｅｌｄ，Ｅｕｄが入力された状態の入力画面Ｐを示す表示画面図である。
【符号の説明】
【００４３】
１  測定装置
２  測定部
４  演算制御部
５  操作部
５ａ  ジョグダイヤル
６  記憶部
８  表示部
Ｃｏ  係数
Ｄｅ  次数
Ｄｓａ〜Ｄｓｄ  設定値データ
Ｅｌｃ，Ｅｌｄ，Ｅｕｃ，Ｅｕｄ  予測値
Ｆｌ，Ｆｕ  予測式  
Ｍｕｃ  修正値
Ｓｌａ〜Ｓｌｄ，Ｓｕａ〜Ｓｕｄ  設定値
【図１】
0004777794.tif 000002
【図２】
0004777794.tif 000003
【図３】
0004777794.tif 000004
【図４】
0004777794.tif 000005
【図５】
0004777794.tif 000006
【図６】
0004777794.tif 000007
【図７】
0004777794.tif 000008
【図８】
0004777794.tif 000009
【図９】
0004777794.tif 000010